(57)【特許請求の範囲】
【請求項１】
カメラの幅に合わせて、離隔して配置した左右のヒレ体（１，１）の先端部に、中央部が略台形状に上方へ突出した二股状の連結金具（２）の基部（３，３）を固定し、左右のヒレ体（１，１）を連結してなるカメラアダプターの前記二股状の連結金具（２）への接続金具であって、該接続金具は、
（イ）両端部に丸味を付けた円柱体（４）の前半分の部分に短冊状の貫通孔（５）を設け、後半分の部分に、円柱体（４）の中心軸方向に通線ロッドねじ込み用のねじ穴（６）を刻設し、ねじ穴（６）に連通して通線ロッド挿通用の穴（７）を穿設している、
（ロ）貫通孔（５）の両側壁の中央前部に切欠部（８）を設け、切欠部（８）の先端部に先広がりのテーパ（ａ）を設けている、
（ハ）先端部に内側に湾曲した鈎状の爪（９，９）を設けた二本の把持片（１０，１０）を、内側に湾曲した鈎状の爪（９，９）が対向するように併設し、該把持片（１０，１０）の基部を、貫通孔（５）後部の両側壁に差し渡した軸（１１）に回動可能に軸支するとともに、内側に湾曲した鈎状の爪（９，９）が、常に噛み合うように、該二本の把持片（１０，１０）の基部をばね力によって付勢している、
以上のように構成していることを特徴とする接続金具である。
【発明の詳細な説明】
【技術分野】
【０００１】
本発明は、カメラの幅に合わせて、離隔して配置した左右のヒレ体の先端部に、中央部が略台形状に上方へ突出した二股状の連結金具の基部を固定し、左右のヒレ体を連結してなるカメラアダプターの前記二股状の連結金具への接続金具に関するものである。
【背景技術】
【０００２】
既設の電線管の中に、新たな電線・ケーブル類を通線する場合には、例えば、一方のマンホールから、先端部にカメラを装着したＦＲＰ製の通線ロッドを、カメラによって、電線管の隙間を探しながら、押し進めていき、他方のマンホールに進出してきた通線ロッドをマンホールから引き出し、通線ロッドに添えていた呼び線に新たな電線・ケーブル類を接続したのち、通線ロッドと呼び線を引き戻すという工法によって行われている。
【０００３】
前記工法は、通線ロッドの呼び線を作業者が直接掴んで取り出せる程度のスペースが必要であり、このようなスペースが確保できない作業環境では、呼び線を引き出すことができないという問題点があった。
【特許文献１】特開平１０−７０８０７号公報
【特許文献２】特開平１０−３４１６３７号公報
【発明の開示】
【発明が解決しようとする課題】
【０００４】
この発明は、背景技術で記述した問題点を解消するためになされたもので、作業者が通線ロッドの呼び線を直接掴んで取り出せないような狭小なスペースにおいても、呼び線を取り出すことが可能な通線用カメラヘッドを取り付けるカメラアダプターの連結金具への接続金具の提供を目的とするものである。
【課題を解決するための手段】
【０００５】
カメラの幅に合わせて、離隔して配置した左右のヒレ体１，１の先端部に、中央部が略台形状に上方へ突出した二股状の連結金具２の基部３，３を固定し、左右のヒレ体１，１を連結してなるカメラアダプターの前記二股状の連結金具２への接続金具であって、該接続金具は、
【０００６】
（イ）両端部に丸味を付けた円柱体４の前半分の部分に短冊状の貫通孔５を設け、後半分の部分に、円柱体４の中心軸方向に通線ロッドねじ込み用のねじ穴６を刻設し、ねじ穴６に連通して通線ロッド挿通用の穴７を穿設している、
【０００７】
（ロ）貫通孔５の両側壁の中央前部に切欠部８を設け、切欠部８の先端部に先広がりのテーパａを設けている、
【０００８】
（ハ）先端部に内側に湾曲した鈎状の爪９，９を設けた二本の把持片１０，１０を、内側に湾曲した鈎状の爪９，９が対向するように併設し、該把持片１０，１０の基部を、貫通孔５の後部の両側壁に差し渡した軸１１に回動可能に軸支するとともに、内側に湾曲した鈎状の爪９，９が、常に噛み合うように、該二本の把持片１０，１０の基部をばね力によって付勢している、
【０００９】
以上の（イ）〜（ハ）のように構成してなることを特徴とする接続金具である。
【発明の効果】
【００１０】
（１）左右のヒレ体１，１を、中央部が略台形状に上方へ突出した二股状の連結金具２で連結した構造であるので、連結金具２を接続金具に連結させることが容易である。
（２）二本の把持片１０，１０の先端部の内側に湾曲した鈎状の爪９，９は、ばね力によって、互いに噛み合うようになっているので、爪９，９に挟み込んだ連結金具２を確実に把持できる。
（３）切欠部８の先端部に先広がりのテーパａを設けているので、連結金具２を切欠部８に呼び込み易い。
（４）ねじ穴６に、ＦＲＰ製通線ロッドをねじ込むという簡単な操作で、ＦＲＰ製通線ロッドを接続金具へ装着できる。
【発明を実施するための最良の形態】
【００１１】
作業者が通線ロッドの呼び線を直接掴んで取り出せないような狭小なスペースにおいても、呼び線を取り出すことが可能な通線用カメラヘッドを取り付けるカメラアダプターの連結金具への接続金具の提供という目的を、中央部が略台形状に上方へ突出した二股状の連結金具と、先端部に設けた爪が対向するように併設され、常時噛み合うように付勢された二本の把持片の採用により実現できた。
【実施例】
【００１２】
通線ロッドの先端部に装着したカメラヘッドを取り付けるカメラアダプターは、図１に示すように、カメラの幅に合わせて、離隔して配置した左右のヒレ体１，１の先端部に、図２に示すような、中央部が略台形状に上方へ突出した二股状の連結金具２の基部３，３を固定し、左右のヒレ体１，１を、図３に示すように、連結している。
【００１３】
図１において、点線で示しているのは、カメラヘッドＣと通線ロッドＲである。ヒレ体１，１は、ポリアミド樹脂等の硬質樹脂からなり、図１から分かるように、魚のエイのヒレのような形状に仕上げている。
【００１４】
本発明の接続金具の実施の一例は、図４〜図６に示すように、両端部に丸味を付けた円柱体４の前半分の部分に短冊状の貫通孔５を設け、後半分の部分に、円柱体４の中心軸方向に通線ロッドねじ込み用のねじ穴６を刻設し、ねじ穴６に連通して通線ロッド挿通用の穴７を穿設している。
【００１５】
貫通孔５の両側壁の中央前部に切欠部８を設け、切欠部８の先端部に先広がりのテーパａを設けている。したがって、図４〜図５に示すように、円柱体４の貫通孔５の前部が連通し、大きく口をを開いたような形状になっているので、カメラアダプターの連結金具２を切欠部８に呼び込み易い。
【００１６】
先端部に内側に湾曲した鈎状の爪９，９を設けた二本の把持片１０，１０を、内側に湾曲した鈎状の爪９，９が対向するように併設し、把持片１０，１０の基部を貫通孔５後部の両側壁に差し渡し軸１１に回動可能に軸支している。
【００１７】
二本の把持片１０，１０の基部をばねbのばね力によって付勢し、常時、爪９，９が、噛み合うようにしている。したがって、カメラアダプターの連結金具２を、ばねｂのばね力に抗して、内側に湾曲した鈎状の爪９，９を通過させると、連結金具２は確実に爪９，９によって補足され離脱することはできない。
【００１８】
実施に際しては、通線ロッドによって所定の狭小スペースまで押し込まれたカメラアダプターの二股状の連結金具２を、通線ロッドを装着したカメラアダプターへの接続金具を狭小スペースに差し込み、モニタに映しだされたカメラアダプターの二股状の連結金具２の位置を確認しながら、二股状の連結金具２を内側に湾曲した鈎状の爪９，９に押し込み、カメラアダプターを本願のカメラアダプターへの接続金具に接続させ、前記カメラアダプターを狭小スペースから引き出すことにより、通線ロッドに取り付けている呼び線を取り出すのである。その後は、例えば、呼び線に新規ケーブルを接続して、狭小スペースから
中へ引き込むのである。
【産業上の利用可能性】
【００１９】
狭小スペースから呼び線を引き出し、該呼び線に電線・ケーブル類を接続し、前記狭小スペースから電線・ケーブル類を電線管路等に引き込む作業において、狭小スペース部で、呼び線を捕捉し引き出すための部材として利用できる。
【図面の簡単な説明】
【００２０】
【図１】カメラアダプターのヒレの斜視図
【図２】二股状の連結金具の斜視図
【図３】カメラアダプターの斜視図
【図４】接続金具の側面図
【図５】図４における縦断面図
【図６】接続金具の平面図
【符号の説明】
【００２１】
１  ヒレ
２  二股状の連結金具
３  二股状の連結金具の基部
４  円柱体
５  短冊状の貫通孔
６  通線ロッドねじ込み用のねじ穴
７  通線ロッド挿通用の穴
８  切欠部
９  内側に湾曲した鈎状の爪
１０  把持片
１１  軸
ａ  テーパ
ｂ  ばね
Ｃ  カメラ
Ｒ  通線ロッド
【図１】
0004405295.tif 000002
【図２】
0004405295.tif 000003
【図３】
0004405295.tif 000004
【図４】
0004405295.tif 000005
【図５】
0004405295.tif 000006
【図６】
0004405295.tif 000007